(57)【要約】【課題】大規模地震の縦揺れによる柱抜けを防止するとともに、微震時における基礎と上屋との相互の小さな揺れを許容して柱の保持を行なえるようにし、微震時の外壁割れや基礎割れを生じさせずに既設の木造家屋の耐震性を向上させる。【解決手段】上部固定部２と下部固定部３とに渡される連結部４を、上部固定部２に設けた筒状係止部材１５のボルト挿通孔１４に挿入したボルト１３を、下部固定部３で支持された袋ナット１６にネジ付けて連結し、ボルト１３の頭部と筒状係止部材１５との間と、筒状係止部材１５と袋ナット１６との間にゴムスプリング２０を介在させ、ボルト挿通孔１４の内周面とボルト軸１２の外周面との間の上下位置にＯリング２１を介在させて、ボルト軸周りにグリースなどの高滑性部材２２を充填配置した。【選択図】      図２
2004324225.tif 000002
【特許請求の範囲】
【請求項１】
木造家屋における外壁下部外表面の柱対応部位とこの柱対応部位の下方の基礎の外表面とに亘って取り付けられる後付け耐震補強装置であって、前記柱対応部位に位置し外壁材を介して前記柱に固定される上部固定部と、前記基礎の外表面に固定される下部固定部と、前記上部固定部から下部固定部に渡される連結部とを備え、前記連結部は、上部固定部に設けられた筒状係止部材のボルト挿通孔の上方からボルト軸を移動可能に挿入したボルトを、前記下部固定部から外方に張り出した一対の支持片間で外方に向けて移動可能にして、かつ回動可能に支持された袋ナットにネジ付けて連結し、前記ボルトの頭部と前記筒状係止部材との間にゴムスプリングを介在させるととに、前記筒状係止部材と前記袋ナットとの間にゴムスプリングを介在させ、ボルト軸より大径とした前記ボルト挿通孔の内周面とボルト軸の外周面との間の上下位置にＯリングを介在させて、ボルト挿通孔におけるボルト軸周りにグリースなどの高滑性部材を充填配置してなるものであることを特徴とする後付け耐震補強装置。
【発明の詳細な説明】
【０００１】
【発明の属する技術分野】
本発明は後付け耐震補強装置に関するものである。
【０００２】
【従来の技術】
阪神淡路大震災において木造家屋の柱が地震の縦揺れ時などで土台から抜けて多くの木造家屋が倒壊したことから、近年では家屋を木造にて建築する場合に、地震の揺れによっても柱が土台から抜けることがないようにする構造が組まれるようになってきていて、ボルト取付部を備えた金具（ホールダウン金物）を柱の下部側面に取り付けるとともに、下端を基礎に埋設し土台を貫通するアンカーボルトを柱側面に立ち上げて、そのアンカーボルトを柱の側面に取り付けた前記金具に連結することが行われるようになってきた（例えば、特許文献１）。また、既設の木造家屋においても耐震性能を高めたいと要望されるようになり、その改修工事に際して、外壁外表面の柱対応部位に取り付けた上部固定部材と基礎の外表面に取り付けた下部固定部材と前記上部固定部材から下部固定部材に亘る連結部材とで構成された耐震補強装置が用いられていて、この耐震補強装置の上部固定部材を外壁材を介して柱に固定させることで柱の抜けを防止するようにしていた（例えば、特許文献２）。さらにこのような後付け耐震補強装置において地震時に加わる衝撃を緩衝するためにゴム部材を用いることも行われている（例えば、特許文献３参照）。
【０００３】
【特許文献１】
特開平６−０５７８２３号公報（段落番号００１３、図５）
【特許文献２】
実用新案登録第３０３０６６５号公報（段落番号０００９、第２図）
【特許文献３】
特開２００１−１７３１０８号公報（段落番号００５９、図６、図７）
【０００４】
【発明が解決しようとする課題】
しかしながら、上述した特許文献２で示されているような後付けの耐震補強装置では、外壁面側の上部固定部材と基礎側の下部固定部材とに掛け渡される連結部材がボルトから構成されて、そのボルトのねじ付けによって上部固定部材と下部固定部材とへの連結を行なうため、小規模な地震時にも揺れによって生じる応力が連結部分に集中して連結部分が変形してしまい、それ以後では連結部材が上部固定部材と下部固定部材とに適正に掛け渡された状態にならないというものであった。
また、上記後付け耐震補強装置中、ゴム部材を用いて地震時の衝撃を緩衝する連結部材を備えた装置にあっては、上記特許文献３に示されているように、連結部材の構成として、下端を下部固定部材に支持させた軸部材を上部固定部材の筒状部材中に通し、軸部材上部の抑止部材と前記筒状部材との間、そして、軸部材下部の抑止部材と筒状部材との間にそれぞれゴム部材を介在させるとともに、前記軸部材の外周にゴム部材を巻装して前記筒状部材の内面と軸部材の外面との間にそのゴム部材を介在させているものがある。
しかしながら、この後付け耐震補強装置では、軸部材が周りのゴム部材で拘束される度合いが軸部材長手方向に大きいために、筒状部材内での軸部材の相対的な動きが規制されてしまい、この後付け耐震補強装置を配した個所を家屋全体と比較すると局部的に剛性が高い部分となっている。よって、微震が継続するような揺れを受ける場合には、基礎と上屋との相互の小さな揺れを許容し難くなり、外壁の割れや基礎の割れを招くという問題もあった。
そこで本発明は上記事情に鑑み、上部固定部材から下部固定部材に亘る連結部材を、上部固定部材側の筒状部材に軸部材をゴム部材を介して配置したものに関し、大規模地震の縦揺れによる柱抜けを防止するとともに、微震時における基礎と上屋との相互の小さな揺れを許容して柱の保持を行なえるようにすることを課題とし、微震時の外壁割れや基礎割れを生じさせずに既設の木造家屋の耐震性を向上させることを目的とする。
【０００５】
【課題を解決するための手段】
本発明は上記課題を考慮してなされたもので、木造家屋における外壁下部外表面の柱対応部位とこの柱対応部位の下方の基礎の外表面とに亘って取り付けられる後付け耐震補強装置であって、前記柱対応部位に位置し外壁材を介して前記柱に固定される上部固定部と、前記基礎の外表面に固定される下部固定部と、前記上部固定部から下部固定部に渡される連結部とを備え、前記連結部は、上部固定部に設けられた筒状係止部材のボルト挿通孔の上方からボルト軸を移動可能に挿入したボルトを、前記下部固定部から外方に張り出した一対の支持片間で外方に向けて移動可能にして、かつ回動可能に支持された袋ナットにネジ付けて連結し、前記ボルトの頭部と前記筒状係止部材との間にゴムスプリングを介在させるととに、前記筒状係止部材と前記袋ナットとの間にゴムスプリングを介在させ、ボルト軸より大径とした前記ボルト挿通孔の内周面とボルト軸の外周面との間の上下位置にＯリングを介在させて、ボルト挿通孔におけるボルト軸周りにグリースなどの高滑性部材を充填配置してなるものであることを特徴とする後付け耐震補強装置を提供して、上記課題を解消するものである。
【０００６】
【発明の実施の形態】
つぎに本発明を図１と図２に示す実施の形態に基づいて詳細に説明する。
図中１は後付け耐震補強装置で、該後付け耐震補強装置１は図２に示されているように木造家屋の外壁下部Ａの外表面における柱対応部位に配置される上部固定部２と、柱対応部位の下方における鉄筋コンクリート製の基礎Ｂの外表面に配置される下部固定部３と、前記上部固定部２から下部固定部３に掛け渡される連結部４とを備えているものである。前記上部固定部２にあっては、図１に示されているように短冊状に縦長とした金属製の取付板５を前記柱対応部位に位置させた状態でコーチボルトなどの固定具６によって外壁材Ｃを介して土台Ｄおよび柱Ｅに固定していて、取付板５の外表面下部側から上下二段にして横に伏した平行な支持片７を外方に向けて張り出させているものである。
【０００７】
また、上記下部固定部３にあっては、金属製である略横長とした取付板８をケミカルアンカーボルトなどの固定具９によって基礎Ｂの外表面に固定させ、その取付板８の外表面から左右に対として縦向きの平行な支持片１０を外方に向けて張り出させている。
【０００８】
上記連結部４は、図示されているように頭部１１に長尺なボルト軸１２が連続しているボルト１３と、上記上部固定部２の一対の支持片７に取付固定されてボルト挿通孔１４に前記ボルト１３のボルト軸１２が上方から移動可能に挿入されている筒状係止部材１５と、上記下部固定部３の支持片１０の間で支持された袋ナット１６とからなり、ボルト挿通孔１４を通ったボルト軸１２の下端が前記袋ナット１６にネジ付けして連結されている。そして、図示されているように支持片１０それぞれには支持片張出方向に長手方向が沿う長孔１７が開口して、その長孔１７を通る支持ボルト１８が前記袋ナット１６にネジ付けられ、これによって、袋ナット１６は外方に向けて移動可能にして、かつ外方に向けて回動可能に支持されることから、連結部４全体が外方に向けて移動調整可能で、回動も可能に構成されているものである。なお、袋ナット１６側にナット１９が配置されてダブルナット形態にしてボルト１３が袋ナット１６に連結されている。
【０００９】
さらに、この連結部４にあっては、上記筒状係止部材１５の上面が、上部固定部２の上段の支持片７から上方に臨むように位置していて、この筒状係止部材１５とボルト１３の頭部１１との間に環状のゴムスプリング２０が配置されている。また、筒状係止部材１５の下面が、下段の支持片７から下方に臨むように位地していて、この筒状係止部材１５と上記ナット１９との間にも環状のゴムスプリング２０が配置されている。
このように上部固定部２に固定支持されている筒状係止部材１５の上下にボルト１３が通るゴムスプリング２０が介在していることから、大規模地震時における縦揺れなどによって柱が上方移動するような力が加わってもこの後付け耐震補強装置１によって柱の持ち上がりが防止され、縦揺れ時の衝撃をゴムスプリング２０にて緩衝するようにしている。
【００１０】
本後付け耐震補強装置１では小規模地震時などの小さな横揺れに追従できるようにした工夫が設けられていて、図示されているように上記ボルト１３が通る上記筒状係止部材１５のボルト挿通孔１４がボルト軸１２より大径とされ、そして、ボルト挿通孔１４の内周面とボルト軸１２の外周面との間の上下位置にＯリング２１を介在させて、ボルト軸１２の周りに空間を形成して、その空間にシリコングリースなどの高滑性部材２２を充填配置している。
このように本後付け耐震補強装置１の連結部４では、ボルト１３が通るボルト挿通孔１４において上下にＯリング２１を巻装して形成されたボルト軸１２の周りの空間に高滑性部材２２を充填して、筒状係止部材１５に対するボルト１３の横揺れを容易になるようにしているので、小規模地震時などの小さな横揺れが家屋に加わっても、本装置１が配置されている部分での基礎とその上屋との相互の揺れが許容されるようになる。よって、微震が継続的に発生してるような場合でも本装置１を配した部分から外壁材の割れや基礎の割れを生じさせることがなく、木造家屋の外観を損なうことがなくなる。
【００１１】
【発明の効果】
以上説明した本発明の後付け耐震補強装置を木造家屋の外壁と基礎とに渡って取り付けることにより、大規模地震時の縦揺れなどによって木造家屋における柱を上方に持ち上げるような外力が加わっても本発明の後付け耐震補強装置によって柱の抜けが確実に防止されて、木造家屋の倒壊などを生じさせないようにすることができる。さらに、小規模自身時の小さな横揺れが木造家屋に加わっても、連結部の筒状係止部材に対して傾斜するなどの動きが容易になる構造となっているので、本装置を取り付けた部分での基礎と外壁との相互の小さな揺れが許容されるようになり、小規模地震時などでの外壁の割れや基礎の割れを生じさないなど、実用性に優れた効果を奏するものである。
【図面の簡単な説明】
【図１】本発明に係る後付け耐震補強装置の一例を示す説明図である。
【図２】本発明の一例を取り付けた状態で側方から示す説明図である。
【符号の説明】
１…後付け耐震補強装置
２…上部固定部
３…下部固定部
４…連結部
１３…ボルト
１４…ボルト挿通孔
１５…筒状係止部材
１６…袋ナット
２０…ゴムスプリング
２１…Ｏリング
２２…高滑性部材
Ａ…外壁下部
Ｂ…基礎
Ｃ…外壁材
Ｄ…土台
Ｅ…柱
【図１】
2004324225.tif 000003
【図２】
2004324225.tif 000004